(57)【要約】【課題】サイズが同一であるか異なっているかに関係なく、複数冊の付箋紙束を一塊の一体物として取り扱うことを可能にし、併せて、どの付箋紙束から付箋紙を剥がし取っても一体物としての複数冊の付箋紙束がばらばらになって散乱するという事態の起こらない付箋を提供する。【解決手段】互いに面接合されている多数枚の付箋紙１１によって付箋紙束１０が形成されている。複数冊の付箋紙束１０…の端面１２…に糊層などの薄膜状の連結材３０が接合されて、その連結材３０によって全部の付箋紙束１０が一体に連結されている。複数冊の付箋紙束１０…が横幅の異なる付箋紙束を含み、それらの付箋紙束１０…が、異なる段に振り分けて配備されている。【選択図】図４
0003193122.tif 000002
【実用新案登録請求の範囲】
【請求項１】
多数枚の付箋紙の重なり面同士が接着剤で剥離可能に接合されて、それぞれの前記付箋紙の一端縁の集合によって平坦な端面が形成されている複数冊の付箋紙束を備え、前記接着剤が、互いに接合されている一方側の付箋紙の裏面に保持されて他方側の付箋紙の表面に対して剥離可能になっている付箋であって、
複数冊の上記付箋紙束は、それぞれの上記端面が平面状に揃えられた状態で多段に積み重ねられ、かつ、少なくとも１つの積重ね段には複数冊の付箋紙束が横並び状態に配列されていると共に、全部の上記付箋紙束の端面に薄膜状の折れ曲がり可能な連結材が接合されて、その連結材によって全部の付箋紙束が一体に連結されていることを特徴とする付箋。
【請求項２】
複数冊の上記付箋紙束が横幅の異なる付箋紙束を含み、それらの付箋紙束が、相隣接する２つの積重ね段において一方側積重ね段と他方側積重ね段とに振り分けられている請求項１に記載した付箋。
【請求項３】
上記連結材には、１つの積重ね段に横並び状態に相隣接して配列されている２つの上記付箋紙束の端面の境界箇所に位置する切れ目が形成されている請求項１又は請求項２に記載した付箋。
【請求項４】
複数冊の付箋紙束が２段に亘って積み重ねられていると共に、横幅の広い１冊の付箋紙束が一方側の積重ね段に振り分けられ、横幅の狭い２冊以上の冊数の付箋紙束が他方側の積重ね段に振り分けられている請求項１ないし請求項３のいずれか１項に記載した付箋。
【請求項５】
個々の上記付箋紙束ごとに、一端縁が上記連結材に接合された厚手の台紙が備わり、その台紙の表面上に配備された付箋紙の裏面に保持された上記接着剤が、上記台紙の表面に対して剥離可能に接合されている請求項１ないし請求項４のいずれか１項に記載した付箋。
【請求項６】
少なくとも１冊の上記付箋紙束に含まれる多数枚の付箋紙が、所定枚数の付箋紙の集合によって形成された複数の付箋紙小束に分かれていて、それぞれの付箋紙小束に含まれる付箋紙が、付箋紙小束ごとに色分けされている請求項１ないし請求項５のいずれか１項に記載した付箋。
【請求項７】
個々の上記付箋紙小束ごとに、一端縁が上記連結材に接合された厚手の台紙が備わり、その台紙の表面上に配備された付箋紙の裏面に保持された上記接着剤が、上記台紙の表面に対して剥離可能に接合されている請求項１ないし請求項６のいずれか１項に記載した付箋。
【考案の詳細な説明】
【技術分野】
【０００１】
本考案は、目印とするためなどに書類などに貼り付けて用いられる付箋に関する。
【背景技術】
【０００２】
図１７はこの種の付箋の一般的な使用状態を例示した斜視図である。同図の事例では、付箋紙束から剥離した１枚の付箋紙１１を、その裏面の接着剤を利用して書類Ｐの端に貼り付けてある。
【０００３】
図１８は１冊の付箋紙束１０を例示した概略斜視図である。この付箋紙束１０は、厚手の台紙２０の上に付箋紙１１…を多数枚積み重ね、付箋紙１１、１１同士の重なり面や、付箋紙１１と台紙２０との互いの重なり面を接着剤で剥離可能に接合することによって形成されている。この付箋紙束１０において、短冊形の台紙２０や台紙２０の上に積み重ねられているそれぞれの短冊形の付箋紙１１は、その４つの端縁（辺）がきれいに揃っていて、それぞれの付箋紙１１…及び台紙２０の端縁の集まりによって４つの面状の端面が形成されている。なお、多数枚の付箋紙を積み重ねてそれらの重なり面同士を剥離可能に接着剤で接合した付箋紙束については従来より知られている（たとえば、特許文献１参照）。
【０００４】
図１８に例示した付箋紙束１０にあっては、個々の付箋紙１１がその裏面の一端側に接着剤を保持していて、その接着剤が他の付箋紙１１又は台紙２０の表面に剥離可能に接着されている。そして、特定の付箋紙１１を剥離したときには、接着剤が、剥離した付箋紙１１側に保持されたままになって、その接着剤が、図１７のように書類Ｐに付箋紙１１を貼り付けることに利用される。なお、図１８では、符号Lによって付箋紙１１同士又は付箋紙１１と台紙２０との接着剤による接合領域を説明的に示してある。
【０００５】
ところで、日常で使用される文具としての付箋は、図１８に例示した付箋紙束１０の形態で提供されていることが多く、一般的な販売形態としては、たとえば複数冊（４〜６冊）の付箋紙束１０…が１セットとされ、それらの付箋紙束１０…が横並び状態又は立積み状態で包装されていることが多い。また、そのような１セットでの販売形態では、個々の付箋紙束１０を形成している付箋紙１１が、付箋紙束１０ごとに異なる色に色分けされていることもある。
【先行技術文献】
【特許文献】
【０００６】
【特許文献１】特開２００４−２４３５８７号公報（図１４）
【考案の概要】
【考案が解決しようとする課題】
【０００７】
ところで、小物文具に分類されている付箋は日常的に会社や家庭、学校といった様々な場所で汎用されているけれども、上記したような複数冊の付箋紙束１０…をまとめて１セットにした付箋については、個々の付箋紙束１０が他の付箋紙束１０からもともと分離されている。そのため、包装から取り出された複数冊の付箋紙束１０…がデスクの上などに散らばって置かれていることが多いことなどにより、個々の付箋紙束１０が紛失しやすいということが云える。そのため、付箋紙１１を書類などに貼り付けて使用したいときに、目的の付箋紙束１０を見つけにくいという不便を多々経験する。
【０００８】
また、図１８に示したような多数枚の付箋紙１１をまとめて積み重ねた形態の１冊の付箋紙束１０では、最も上に積み重ねられている付箋紙１１から１枚ずつ順に剥離して使用するという形態を採った場合には、付箋紙１１の全部がばらばらに分離されることがないので、紛失のおそれがそれだけ少なくなる。しかしながら、付箋紙１１の積重ね層の中間部分に位置している付箋紙１１を剥離すると、その剥離箇所で付箋紙束１０が分離してしまい、上記したところと同様に、分離した個々の付箋紙１１…が紛失しやすくなる。
【０００９】
一方では、付箋紙を書類などに貼り付けるときに、異なるサイズや色の付箋紙を使いたいときもある。この要求に対処するために、サイズや色の異なる付箋紙束１０を、１セットとしての複数冊の付箋紙束の中に混ぜて提供する、ということが行われているけれども、このものによっても、個々の付箋紙束１０は他の付箋紙束１０からもともと分離されているために、上記同様に、使用中に個々の付箋紙束１０が紛失しやすいということが云える。
【００１０】
本考案は以上の状況に鑑みてなされたものであり、サイズが同一であるか異なっているかに関係なく、複数冊の付箋紙束を一塊の一体物として取り扱うことが可能になるだけでなく、どの付箋紙束から付箋紙を剥がし取っても一体物としての複数冊の付箋紙束がばらばらになって散乱するという事態の起こらない付箋を提供することを目的とする。
【００１１】
また、本考案は、一体物としての複数冊の付箋紙束の中から、その複数冊の付箋紙束をばらばらに分離させることなく、所望のサイズ又は色の付箋紙を剥がし取ることのできる付箋を提供することを目的とする。
【課題を解決するための手段】
【００１２】
本考案に係る付箋は、多数枚の付箋紙の重なり面同士が接着剤で剥離可能に接合されて、それぞれの前記付箋紙の一端縁の集合によって平坦な端面が形成されている複数冊の付箋紙束を備え、前記接着剤が、互いに接合されている一方側の付箋紙の裏面に保持されて他方側の付箋紙の表面に対して剥離可能になっている。そして、複数冊の上記付箋紙束は、それぞれの上記端面が平面状に揃えられた状態で多段に積み重ねられ、かつ、少なくとも１つの積重ね段には複数冊の付箋紙束が横並び状態に配列されていると共に、全部の上記付箋紙束の端面に薄膜状の折れ曲がり可能な連結材が接合されて、その連結材によって全部の付箋紙束が一体に連結されている。
【００１３】
このように構成された付箋では、多段に積み重ねられた複数冊の付箋紙の全部が連結材によって一体に連結されていることにより、複数冊の付箋紙の全部を一塊の一体物として取り扱うことができるようになる。そのため、個々の付箋紙束が分離してデスク上などでばらばらに散らばって紛失してしまうという事態が起こりにくくなる。また、任意の付箋紙束から付箋紙を剥がし取ったとしても、他の付箋紙や他の付箋紙束は連結材によって一体化されたままに保たれるので、個々の付箋紙束が分離してデスク上などで散らばって紛失してしまうという事態も起こりにくくなる。
【００１４】
さらにこの構成を備えた付箋では、少なくとも１つの積重ね段には複数冊の付箋紙束が横並び状態に配列されている、という構成を採用しているので、横幅や長さや色の異なる付箋紙束を混ぜることによって、一体物としての複数冊の付箋紙束からサイズや色の異なる付箋紙を剥がし取って使用することができるようになるという利便性が生じる。
【００１５】
本考案では、複数冊の上記付箋紙束が横幅の異なる付箋紙束を含み、それらの付箋紙束が、相隣接する２つの積重ね段において一方側積重ね段と他方側積重ね段とに振り分けられている、という構成を採用することが可能である。この構成を採用すると、横幅の異なる多種類の付箋紙束を、複数冊の付箋紙束に混ぜておくことが可能になり、横幅の広い付箋紙束や横幅の狭い箋紙束から剥がし取った広幅又は狭幅の付箋紙を用途に応じて使い分けることが可能になる。
【００１６】
本考案において、上記連結材には、１つの積重ね段に横並び状態に相隣接して配列されている２つの上記付箋紙束の端面の境界箇所に位置する切れ目が形成されている、という構成を採用しておくことが望ましい。この構成を採用すると、横並び状態に配列されている個々の付箋紙束を、折れ曲がり可能な連結材の性質を利用して、隣接段の付箋紙束から個別にめくり上げて開くことができるようになる。このことにより、たとえば隣接段の付箋紙束から付箋紙を容易に剥がし取ることができるようになるという利点を生じる。
【００１７】
本考案では、複数冊の付箋紙束が２段に亘って積み重ねられていると共に、横幅の広い１冊の付箋紙束が一方側の積重ね段に振り分けられ、横幅の狭い２冊以上の冊数の付箋紙束が他方側の積重ね段に振り分けられている、という構成を採用することが可能である。この構成によると、一方側の積重ね段の横幅の広い付箋紙束から広幅の付箋紙を剥がし取ったり、他方側の積重ね段の横幅の狭い付箋紙束から狭幅の付箋紙を剥がし取ったりすることを容易に行うことが可能である。
【００１８】
本考案では、個々の上記付箋紙束ごとに、一端縁が上記連結材に接合された厚手の台紙が備わり、その台紙の表面上に配備された付箋紙の裏面に保持された上記接着剤が、上記台紙の表面に対して剥離可能に接合されている、という構成を採用することが望ましい。このものによると、積み重ねられた個々の付箋紙束の境界が台紙によって示されるので、その境界を判別しやすくなる。また、個々の付箋紙束同士が接合してしまうという事態が台紙によって防止されるので、隣接段の付箋紙束から当該付箋紙束を個別にめくり上げて開くことが容易になり、それだけ、個々の付箋紙束から目的の付箋紙を容易に剥がせるようになるという利点が生じる。
【００１９】
本考案では、少なくとも１冊の上記付箋紙束に含まれる多数枚の付箋紙が、所定枚数の付箋紙の集合によって形成された複数の付箋紙小束に分かれていて、それぞれの付箋紙小束に含まれる付箋紙が、付箋紙小束ごとに色分けされている、という構成を採用することが可能である。この構成を採用すると、使用者が特定の色の付箋紙を使いたい場合に、その色の付箋紙の属する付箋紙小束からそれに隣接する他の付箋紙小束を開いて目的の付箋紙を容易に剥がし取ることができるようになる。またこの場合、１つの積重ね段に横並び状態に相隣接して配列されている２つの付箋紙束の端面の境界箇所に位置する連結材に切れ目が形成されていれば、横並び状態に配列されている個々の付箋紙束中の任意の付箋紙小束を、折れ曲がり可能な連結材の性質を利用して、隣接段の付箋紙束から個別にめくり上げて開くことができるようになる。このことにより、たとえば隣接段の付箋紙束から特定の色の付箋紙を容易に剥がし取ることができるようになるという利点を生じる。
【００２０】
本考案では、個々の上記付箋紙小束ごとに、一端縁が上記連結材に接合された厚手の台紙が備わり、その台紙の表面上に配備された付箋紙の裏面に保持された上記接着剤が、上記台紙の表面に対して剥離可能に接合されている、ことが望ましい。このものによると、積み重ねられた個々の付箋紙小束の境界が台紙によって示されるので、その境界を判別しやすくなる。また、個々の付箋紙小束同士が接合してしまうという事態が台紙によって防止されるので、隣接する付箋紙小束から当該付箋紙小束を個別にめくり上げて開くことが容易になり、それだけ、個々の付箋紙束から目的の付箋紙を容易に剥がせるようになるという利点が生じる。
【考案の効果】
【００２１】
以上のように、本考案に係る付箋によると、サイズが同一であるか異なっているかに関係なく、複数冊の付箋紙束を一塊の一体物として取り扱うことが可能になるだけでなく、どの付箋紙束から付箋紙を剥がし取っても一体物としての複数冊の付箋紙束がばらばらになって散らばるということがなくなる。そのため、ばらばらに散らばった付箋紙や付箋紙束が紛失してしまうという事態が起こりにくくなるという効果が奏される。また、一体物としての複数冊の付箋紙束の中から、その複数冊の付箋紙束をばらばらに分離させることなく、所望のサイズ又は色の付箋紙を容易に剥がし取って使用することのできる付箋を提供することが可能になる。
【図面の簡単な説明】
【００２２】
【図１】本考案の実施形態に係る付箋の基本構成を例示した分解斜視図である。
【図２】付箋紙束の概略側面図である。
【図３】付箋紙束を分解して示した説明図である。
【図４】本考案の実施形態に係る付箋の概略斜視図である。
【図５】本考案の他の実施形態に係る付箋の概略斜視図である。
【図６】図４の実施形態に係る付箋の使用状態を示した説明図である。
【図７】図４の実施形態に係る付箋の他の使用状態を示した説明図である。
【図８】図５の実施形態に係る付箋の使用状態を示した説明図である。
【図９】さらに他の実施形態に係る付箋の概略側面図である。
【図１０】図９の付箋に備わっている台紙の作用を示した説明図である。
【図１１】変形例による付箋の概略斜視図である。
【図１２】図１１の付箋の使用状態説明図である。
【図１３】さらに他の変形例による付箋の概略斜視図である。
【図１４】さらに他の変形例による付箋の概略斜視図である。
【図１５】さらに他の変形例による付箋の概略斜視図である。
【図１６】さらに他の変形例による付箋の概略斜視図である。
【図１７】付箋の一般的な使用状態を例示した斜視図である。
【図１８】１冊の付箋紙束を例示した概略斜視図である。
【考案を実施するための形態】
【００２３】
図１は本考案の実施形態に係る付箋の基本構成を例示した分解斜視図である。この付箋は、縦幅が同一で横幅のみが相互に異なる３冊の付箋紙束１０…を備えている。これら３冊の付箋紙束１０…は、最も横幅が広い平面視略正方形の広幅付箋紙束１０Ａと、それよりも横幅が狭い短冊形（縦長矩形）の中間幅付箋紙束１０Ｂと、最も横幅の狭い短冊形の狭幅付箋紙束１０Ｃとの３種類に分かれていて、中間幅付箋紙束１０Ｂの横幅は狭幅付箋紙束１０Ｃの横幅の２倍の寸法になっているとともに、中間幅付箋紙束１０Ｂの横幅と狭幅付箋紙束１０Ｃの横幅とを合わせた寸法が、広幅付箋紙束１０Ａの横幅寸法と同一になっている。そして、広幅付箋紙束１０Ａに、中間幅付箋紙束１０Ｂと狭幅付箋紙束１０Ｃとが横並び状態に配列されて積み重ねられるようになっている。これを言い換えると、同図の付箋では、３冊の広幅付箋紙束１０Ａ，中間幅付箋紙束１０Ｂ及び狭幅付箋紙束１０Ｃが２段に亘って積み重ねられ、１冊の広幅箋紙束１０Ａが一方側の積重ね段に振り分けられ、２冊の中間幅及び狭幅の付箋紙束１０Ｂ，１０Ｃが他方側の積重ね段に振り分けられる、ということになる。
【００２４】
図２は１冊の付箋紙束１０の概略側面図、図３は付箋紙束１０を分解して示した説明図である。図２のように、上記した広幅、中間幅及び狭幅の各付箋紙束１０は多数枚の付箋紙１１…を重ね合わせてあり、それぞれの付箋紙１１の一端縁の集合によって平坦な端面１２を形成させている。また、それぞれの付箋紙１１の重なり面同士を剥離可能に接着剤で接合してなる。このことをさらに具体的に説明すると、図３のように、多数枚の付箋紙１１のそれぞれが、それらの裏面の一端側に接着剤１３を保持していて、その接着剤１３が他の付箋紙１１の表面に矢印で示したように剥離可能に接合される。それぞれの付箋紙１１のうち、最も下側の１枚の付箋紙１１は、厚手の台紙２０に置き換えることができ、その場合には、台紙２０の表面に、その台紙２０に重なり合う付箋紙１１の接着剤１３が剥離可能に接着される。そして、特定の付箋紙１１を剥離したときには、接着剤１３が、剥離した付箋紙１１側に保持されたままになって、その接着剤１３が、図１７を参照して説明したように書類Ｐに付箋紙１１を貼り付けることに利用される。なお、図２において、符号Ｌは接着剤１３による接合領域を示している。同様の接合領域Ｌを、図１に示した広幅、中間幅、狭幅の各付箋紙束１０Ａ，１０Ｂ，１０Ｃにも示している。
【００２５】
図４は本考案の実施形態に係る付箋の概略斜視図である。同図のように、この付箋では、広幅付箋紙束１０Ａに中間幅付箋紙束１０Ｂと狭幅付箋紙束１０Ｃとが横並び状態に配列されて積み重ねられていて、それら３冊の付箋紙束１０…を直方体形状の塊として形作ってある。このように直方体状の塊として形作られた３冊の付箋紙束１０…では、上記したそれらの各端面１２…が平面状に揃えられた状態になっている。そして、３冊の付箋紙束１０…の平面状に揃った各端面１２…の全面に、薄膜状の折れ曲がり可能な連結材３０が接合されている。このようにしておくと、連結材３０が、２段に亘っている３冊の付箋紙束１０…を連結して一体化することに役立つ。連結材３０の厚さは極薄（１ｍｍ以下）であることが望ましい。また、連結材３０には、薄膜状の紙片や布編、薄膜状の樹脂フィルムなどを用いることができるほか、互いに積み重ねられた３冊の付箋紙束１０…の平面状の各端面１２…に亘って連続的に塗布して硬化させることにより形成した折曲り可能な糊層で形成された薄膜状の層を用いてもよい。そして、連結材３０に薄膜状の糊層を用いる場合には、薄膜状の層を形成している糊に、付箋紙１１同士を剥離可能に接合している接着剤１３（図３参照）と同一種類の接着剤を用いることができ、そのようにすると、付箋の製造工程が簡素化され、しかも、他の種類の糊や紙片などの余分な材料を用いる必要がなくなって、製造コストや材料コストが容易に低減化されるという利点がある。
【００２６】
図４に示した実施形態では、３冊の付箋紙束１０…を一体化している上記連結材３０に切れ目３１が形成されている。この切れ目３１は、１つの積重ね段に横並び状態に相隣接して配列されている２つの中間幅付箋紙束１０Ｂと狭幅付箋紙束１０Ｃとの各端面１２，１２の境界箇所Ｘに位置している。
【００２７】
図５は本考案の他の実施形態に係る付箋の概略斜視図である。この実施形態を、図４を参照して説明した実施形態と比較すると、図５の実施形態では、連結材３０が、図４に示されている切れ目３１を有していない点においてのみ図４の実施形態と相違している。したがって説明が重複することを回避するため、図５の実施形態では、図４に示された要素と同一又は相応する要素に同一の符号を付すことによってそれらの詳細な構造説明を省略する。
【００２８】
図６及び図７は図４の実施形態に係る付箋の使用状態を示した説明図である。また、図８は図５の実施形態に係る付箋の使用状態を示した説明図である。
【００２９】
図４の実施形態に係る付箋において、中間幅付箋紙束１０Ｂや狭幅付箋紙束１０Ｃから付箋紙１１を剥がし取るときには、図６のように、中間幅付箋紙束１０Ｂや狭幅付箋紙束１０Ｃが広幅付箋紙束１０Ａに積み重なっている状態のまま、付箋紙１１を剥がし取ることが可能である。その場合、付箋紙１１を上のものから順に剥がし取ることも、あるいは、中間幅付箋紙束１０Ｂや狭幅付箋紙束１０Ｃの中間部分に位置している付箋紙１１を剥がし取ることも可能である。中間幅付箋紙束１０Ｂの中間部分に位置している付箋紙１１を剥がし取るときには、中間幅付箋紙束１０Ｂを中間部分でめくり上げて開くことによって露出した付箋紙１１を剥がし取る。同様に、狭幅付箋紙束１０Ｃの中間部分に位置している付箋紙１１を剥がし取るときには、狭幅付箋紙束１０Ｃを中間部分でめくり上げて開くことによって露出した付箋紙１１を剥がし取る。このように、中間幅付箋紙束１０Ｂや狭幅付箋紙束１０Ｃの中間部分に位置している付箋紙１１を剥がし取ったとしても、残りの付箋紙１１の一端縁には連結材３０が接合しているので、残りの付箋紙１１…がばらばらに分離してしまうという事態は起こらない。
【００３０】
図４の実施形態に係る付箋において、広幅付箋紙束１０Ａの付箋紙１１を剥がし取るときには、図７に示したように、連結材３０の折れ曲がり可能な性質を利用して、中間幅付箋紙束１０Ｂ及び狭幅付箋紙束１０Ｃを広幅付箋紙束１０Ａからめくり上げて開き、そうすることによって露出した広幅付箋紙束１０Ａの付箋紙１１を剥がし取る。この場合においても、広幅付箋紙束１０Ａの中間部分に位置している付箋紙１１を剥がし取るときには、広幅付箋紙束１０Ｃを中間部分でめくり上げて開くことによって露出した付箋紙１１を剥がし取る。図７に示したように、この実施形態では、連結材３０の切れ目３１が、中間幅付箋紙束１０Ｂと狭幅付箋紙束１０Ｃとの各端面１２，１２の境界箇所に位置していることにより、中間幅付箋紙束１０Ｂをめくり上げるときに狭幅付箋紙束１０Ｃが追従してめくれ上がるということがなくなり、また、狭幅付箋紙束１０Ｃをめくり上げるときでも中間幅付箋紙束１０Ｂが追従してめくれ上がるということがなくなる。
【００３１】
図５の実施形態に係る付箋において、中間幅付箋紙束１０Ｂや狭幅付箋紙束１０Ｃから付箋紙１１を剥がし取るときには、図４を参照して説明したところと同様の手順を行う。
また、図５の実施形態に係る付箋において、広幅付箋紙束１０Ａの付箋紙１１を剥がし取るときには、図８に示したように、連結材３０の折れ曲がり可能な性質を利用して、中間幅付箋紙束１０Ｂ及び狭幅付箋紙束１０Ｃを広幅付箋紙束１０Ａからめくり上げて開き、そうすることによって露出した広幅付箋紙束１０Ａの付箋紙１１を剥がし取る。この場合においても、広幅付箋紙束１０Ａの中間部分に位置している付箋紙１１を剥がし取るときには、広幅付箋紙束１０Ｃを中間部分でめくり上げて開くことによって露出した付箋紙１１を剥がし取る。図８に示したように、この実施形態では、連結材３０が切れ目を有していないので、中間幅付箋紙束１０Ｂ又は狭幅付箋紙束１０Ｃのいずれか一方だけをめくり上げると、他方はそれに追従してめくり上げられることになる。
【００３２】
図９及び図１０はさらに他の実施形態に係る付箋の概略側面図である。この実施形態の付箋は、図４又は図５を参照して説明した実施形態の付箋において、広幅付箋紙束１０Ａに含まれる他数枚の付箋紙１１…が、所定枚数の付箋紙１１…の集合によって形成された複数（図例では３つ）の付箋紙小束１０Ａａ，１０Ａｂ、１０Ａｃに分かれている。そして、それぞれの付箋紙小束１０Ａａ，１０Ａｂ、１０Ａｃに含まれる付箋紙１１…が、付箋紙小束１０Ａａ，１０Ａｂ、１０Ａｃごとに異なる色に色分けされている。同様に、中間幅付箋紙束１０Ｂに含まれる他数枚の付箋紙１１…が、所定枚数の付箋紙１１…の集合によって形成された複数（図例では３つ）の付箋紙小束１０Ｂａ，１０Ｂｂ、１０Ｂｃに分かれている。そして、それぞれの付箋紙小束１０Ｂａ，１０Ｂｂ、１０Ｂｃに含まれる付箋紙１１…が、付箋紙小束１０Ｂａ，１０Ｂｂ、１０Ｂｃごとに異なる色に色分けされている。また、同様に、狭幅付箋紙束１０Ｃに含まれる他数枚の付箋紙１１…も、所定枚数の付箋紙１１…の集合によって形成された複数の付箋紙小束１０Ｃｂ，１０Ｃｃ等に分かれている。そして、それぞれの付箋紙小束１０Ｃｂ，１０Ｃｃ等に含まれる付箋紙１１…が、付箋紙小束１０Ｃｂ，１０Ｃｃ等ごとに異なる色に色分けされている。さらに、広幅付箋紙束１０Ａ側のそれぞれの付箋紙小束１０Ａａ，１０Ａｂ、１０Ａｃや中間幅付箋紙束１０Ｂ側の付箋紙小束１０Ｂａ，１０Ｂｂ、１０Ｂｃ、さらには狭幅付箋紙束１０Ｃ側の付箋紙小束１０Ｃｂ，１０Ｃｃ等には、それぞれ厚手の台紙２０が設けられている。そして、それぞれの台紙２０の表面には、その上側の付箋紙１１が接着剤で剥離可能に接合されている。付箋紙小束１０Ａａ，１０Ａｂ、１０Ａｃや付箋紙小束１０Ｂａ，１０Ｂｂ、１０Ｂｃや付箋紙小束１０Ｃｂ，１０Ｃｃ等の色には、たとえばピンク、オレンジ、青などの任意の色が選択されている。このものによると、積み重ねられた個々の付箋紙小束１０Ａａ，１０Ａｂ、１０Ａｃ、１０Ｂａ，１０Ｂｂ、１０Ｂｃ、１０Ｃｂ，１０Ｃｃの境界が台紙２０によって示されるので、その境界を判別しやすくなる。また、個々の付箋紙小束１０Ａａ，１０Ａｂ、１０Ａｃ、１０Ｂａ，１０Ｂｂ、１０Ｂｃ、１０Ｃｂ，１０Ｃｃ同士が接合してしまうという事態が台紙によって防止されるので、図１０に示したように、例えば、隣接する付箋紙小束１０Ｃｂ，１０Ｃｃ等から付箋紙小束１０Ｃｃを個別にめくり上げて開くことが容易になり、それだけ、個々の付箋紙束１０から目的の付箋紙を容易に剥がせるようになるという利点が生じる。またこの実施形態では、連結材３０の切れ目３１が、中間幅付箋紙束１０Ｂと狭幅付箋紙束１０Ｃとの各端面１２，１２の境界箇所に位置していることにより、例えば中間幅付箋紙束１０Ｃから付箋紙小束１０Ｃｂに属する色の付箋紙１１を取りたいときに、付箋紙小束１０Ｃｃをめくり上げる必要が生じるが、この付箋紙小束１０Ｃｃをめくり上げるときに狭幅付箋紙束１０Ｂが追従してめくれ上がるということがなくなる。
【００３３】
図１１は変形例による付箋の概略斜視図、図１２は図１１の付箋の使用状態説明図である。図１１の変形例による付箋では、横並び状態の３冊の狭幅付箋紙束１０Ｃ…に、中間幅付箋紙束１０Ｂと狭幅付箋紙束１０Ｃとを横並び状態で積み重ねてある。また、全部の付箋紙束１０の端面に接合されている連結材３０には、横並び状態に相隣接して配列されている下段側の２つの狭幅付箋紙束１０Ｃ，１０Ｃの端面の境界箇所Ｘに位置する切れ目３１が形成されている。このものによると、図１２に示したように、上側の中間幅付箋紙束１０Ｂだけをめくり上げて開くと、その下側の２冊の狭幅付箋紙束１０Ｃ，１０Ｃが露出する。そのため、上側の狭幅付箋紙束１０Ｃをめくらなくても、下側の２冊の狭幅付箋紙束１０Ｃ，１０Ｃから付箋紙１１を剥がし取ることができる、という利便性が生じる。
【００３４】
図１３はさらに他の変形例を示している。このものは、広幅付箋紙束１０Ａの上に横並び状態で２冊の狭幅の付箋紙束１０…を積み上げ、さらにその上に、縦長さの短い１冊の狭幅の付箋紙束１０を積み上げてある。
【００３５】
図１４はさらに他の変形例を示している。このものは、広幅付箋紙束１０Ａの上に横並び状態で２冊の狭幅の付箋紙束１０…を積み上げ、さらにその上に、縦長さが他と同一の１冊の狭幅の付箋紙束１０を積み上げてある。
【００３６】
図１５はさらに他の変形例を示している。このものは、横並び状態の横幅の異なる２冊の付箋紙束１０，１０の上に、横並び状態で横幅が同一又は横幅の異なる３冊の付箋紙束１０…を積み上げ、さらにその上に、縦長さが他と同一の１冊の狭幅の付箋紙束１０と縦長さの短い１冊の狭幅の付箋紙束１０とを横並び状態で積み上げてある。また、最上部の付箋紙束１０が、その下側の２冊の付箋紙束１０，１０の端面の境界箇所に跨っている。
【００３７】
図１６はさらに他の変形例を示している。このものは、広幅付箋紙束１０Ａの上に横並び状態で４冊の同幅の付箋紙束１０…を積み上げてあり、それぞれの付箋紙束１０…ごとに色（色彩の違いは図示せず）が異なっている。
【００３８】
本発明に係る付箋において、横幅の異なる複数冊の付箋紙束の積重ね形態や組合せ形態は、図示例に限定されないことは勿論であり、付箋紙束の積重ね段数も図示例に限定されることはない。また、本考案において、付箋紙束１０を構成している付箋紙１１には、紙片を用い得るほか、フィルム片を用いることができ、さらには、多数枚の紙片でなる付箋紙束と多数枚のフィルム片でなる付箋紙束とを混ぜて用いてもよい。
【００３９】
図１〜図１８においては、本考案の内容の理解を助けることを意図して、同一又は相応する要素に同一部号を付してある。
【符号の説明】
【００４０】
１０  付箋紙束
１０Ａａ，１０Ａｂ、１０Ａｃ、１０Ｂａ，１０Ｂｂ、１０Ｂｃ、１０Ｃｂ、１０Ｃｃ付箋紙小束
１１  付箋紙
１２  付箋紙束の端面
１３  接着剤
２０  台紙
３０  連結材
３１  連結材の切れ目
【図１】
0003193122.tif 000003
【図２】
0003193122.tif 000004
【図３】
0003193122.tif 000005
【図４】
0003193122.tif 000006
【図５】
0003193122.tif 000007
【図６】
0003193122.tif 000008
【図７】
0003193122.tif 000009
【図８】
0003193122.tif 000010
【図９】
0003193122.tif 000011
【図１０】
0003193122.tif 000012
【図１１】
0003193122.tif 000013
【図１２】
0003193122.tif 000014
【図１３】
0003193122.tif 000015
【図１４】
0003193122.tif 000016
【図１５】
0003193122.tif 000017
【図１６】
0003193122.tif 000018
【図１７】
0003193122.tif 000019
【図１８】
0003193122.tif 000020